(57)【要約】【課題】ワイヤハーネス本体への取付が容易で作業性が向上し、外力によりループ状のロープがほどけたり、破断したりすることがなく、しかも外観的にも違和感のないワイヤハーネス取外し用部品及びそれを組み込んだワイヤハーネスを提供する。【解決手段】本ワイヤハーネス取外し用部品１３は、長尺のロープ１４の両端を結んで結び目１７を形成してループ状としたものからなり、ワイヤハーネス本体１２の周りを一巻きし、その一部位をループ内に挿通させ、廃棄車両解体時に引上装置のフックを引っ掛けるためのアイ１６が形成されるようにワイヤハーネス本体１２に取り付けられて使用されるものであり、該ロープ１４の結び目部分が樹脂でモールドされ、樹脂モールド部１５が形成されている。【選択図】　　　図２
2004018228.tif 000002
【特許請求の範囲】
【請求項１】
長尺のロープの両端を結んで結び目を形成してループ状としたものからなり、ワイヤハーネス本体の周りを一巻きし、その一部位をループ内に挿通させ、廃棄車両解体時に引上装置のフックを引っ掛けるためのアイが形成されるようにワイヤハーネス本体に取り付けられて使用されるものであり、該ロープの結び目部分が樹脂モールドされていることを特徴とするワイヤハーネス取外し用部品。
【請求項２】
長尺のロープの各端部にそれぞれ結び目を形成し、これらの端部を樹脂モールドにより固定してループ状としたものからなり、ワイヤハーネス本体の周りを一巻きし、その一部位をループ内に挿通させ、廃棄車両解体時に引上装置のフックを引っ掛けるためのアイが形成されるようにワイヤハーネス本体に取り付けられて使用されるものであることを特徴とするワイヤハーネス取外し用部品。
【請求項３】
長尺のロープの各端部に留め具を取り付け、該留め具を取り付けたこれらの端部を樹脂モールドにより固定してループ状としたものからなり、ワイヤハーネス本体の周りを一巻きし、その一部位をループ内に挿通させ、廃棄車両解体時に引上装置のフックを引っ掛けるためのアイが形成されるようにワイヤハーネス本体に取り付けられて使用されるものであることを特徴とするワイヤハーネス取外し用部品。
【請求項４】
該ロープの樹脂モールド部分に着色を施したことを特徴とする請求項１〜３のいずれかに記載のワイヤハーネス取外し用部品。
【請求項５】
請求項１〜４のいずれかに記載のワイヤハーネス取外し用部品がワイヤハーネス本体に装着されていることを特徴とするワイヤハーネス。
【発明の詳細な説明】
【０００１】
【発明の属する技術分野】
本発明は、車両に配索されたワイヤハーネスを車体から取外す際に、その作業性を向上させることのできるワイヤハーネス取外し用部品及びワイヤハーネスに関するものである。
【０００２】
【従来の技術】
環境問題の認識の高まりのなか、資源の有効利用への関心が益々高まっている。このような問題は、廃棄処分された車両についても例外ではない。特に、近時の電子制御化された車両が使用しているワイヤハーネスの量は膨大であり、これを無視することはできないのが現状である。
【０００３】
廃棄車両本体からワイヤハーネスを取外す場合、従来、Ｊ字状フックをワイヤハーネスに引っ掛けてクレーン等の引上装置で引き上げて取外していた。
ところが、このような方法では、ワイヤハーネスの取外しの際に、ワイヤハーネスがＪ字状フックを引っ掛けた部分において横滑りし、引き上げがうまくいかないことが多々あった。また、横滑りをしないように適切な引っ掛けポイントを選択する必要があり、作業性の効率が悪かった。
【０００４】
これに対して、廃棄車両解体時におけるワイヤハーネス取外しの作業性を向上させるための提案がいくつかなされている。例えば、ループ状のロープからなり、ワイヤハーネスを取外す際に引上装置のフックを引っ掛けるための引っ掛け部（アイ）を形成して使用するワイヤハーネス取外し用部品が提案されている。このワイヤハーネス取外し用部品は、ループ状のロープをワイヤハーネスの周りに一巻きし、その一部位をループ内に挿通させ、廃棄車両解体時にクレーン等の引上装置のフックを引っ掛けるためのアイが形成されるように、巻き付け固定して使用される。
【０００５】
上記のような構成により、ワイヤハーネスを取外すためのフックを引っ掛けるアイを極めて簡単に形成することができ、しかも横滑りを防止し、引上装置のフックを用いてワイヤハーネスを車両から取外す際の作業性を向上させることができる。
【０００６】
ところで、上記のようなループ状のロープを用いる場合、無端状のものの使用はその製造コストが高くなり、また取外し対象となるワイヤハーネスに応じて種々の寸法のものを用意しなければならないため、コストパフォーマンスの点で問題があった。
そこで、図１に示すように長尺のロープ２の両端を結んで結び目３を形成し、ワイヤハーネス１に取り付けることが考えられるが、結び方いかんによっては、ワイヤハーネス取外し作業の際に外力によりこの結び目３がほどけ、思わぬ事態を引き起こす恐れがある。また、結び目３が露出していると、見栄えが悪いという問題もある。
【０００７】
【発明が解決しようとする課題】
本発明は、このような従来技術の問題を解決するためになされたもので、ワイヤハーネス本体への取付が容易で作業性が向上し、外力によりループ状のロープがほどけたり、破断したりすることがなく、しかも外観的にも違和感のないワイヤハーネス取外し用部品及びそれを組み込んだワイヤハーネスを提供することをその課題とする。
【０００８】
【課題を解決するための手段】
本発明者らは、上記課題を解決すべく鋭意検討を重ねた結果、本発明を完成するに至った。
即ち、本発明によれば、上記課題は、下記の技術的手段により解決される。
（１）長尺のロープの両端を結んで結び目を形成してループ状としたものからなり、ワイヤハーネス本体の周りを一巻きし、その一部位をループ内に挿通させ、廃棄車両解体時に引上装置のフックを引っ掛けるためのアイが形成されるようにワイヤハーネス本体に取り付けられて使用されるものであり、該ロープの結び目部分が樹脂モールドされていることを特徴とするワイヤハーネス取外し用部品。
（２）長尺のロープの各端部にそれぞれ結び目を形成し、これらの端部を樹脂モールドにより固定してループ状としたものからなり、ワイヤハーネス本体の周りを一巻きし、その一部位をループ内に挿通させ、廃棄車両解体時に引上装置のフックを引っ掛けるためのアイが形成されるようにワイヤハーネス本体に取り付けられて使用されるものであることを特徴とするワイヤハーネス取外し用部品。（３）長尺のロープの各端部に留め具を取り付け、該留め具を取り付けたこれらの端部を樹脂モールドにより固定してループ状としたものからなり、ワイヤハーネス本体の周りを一巻きし、その一部位をループ内に挿通させ、廃棄車両解体時に引上装置のフックを引っ掛けるためのアイが形成されるようにワイヤハーネス本体に取り付けられて使用されるものであることを特徴とするワイヤハーネス取外し用部品。
（４）該ロープの樹脂モールド部分に着色を施したことを特徴とする前記（１）〜（３）のいずれかに記載のワイヤハーネス取外し用部品。
（５）前記（１）〜（４）のいずれかに記載のワイヤハーネス取外し用部品がワイヤハーネス本体に装着されていることを特徴とするワイヤハーネス。
【０００９】
【発明の実施の形態】
以下、本発明の実施の形態を好ましい実施例により詳細に説明する。
図２は本発明の一実施例に係るワイヤハーネス取外し用部品を示す図である。図２において、１１はワイヤハーネス、１２はワイヤハーネス本体、１３はワイヤハーネス取外し用部品、１４はロープ、１５は樹脂モールド部、１６はアイ（フック引っ掛け部）である。また、図３は樹脂モールド部１５の断面図を示し、１７は結び目である。
【００１０】
図２及び図３に示すように、本実施例のワイヤハーネス取外し用部品１３は、長尺のロープ１４の両端を結んで結び目１７を作ってループ状とし、その結び目１７を樹脂でモールドして樹脂モールド部１５を形成したものからなる。そして、該ワイヤハーネス取外し用部品１３は、ワイヤハーネス本体１２の周りを一巻きし、その一部位をループ内に挿通させ、廃棄車両解体時に引上装置のフックを引っ掛けるためのアイ１６が形成されるようにワイヤハーネス本体１２に取り付けて使用される。
【００１１】
本実施例において、ワイヤハーネス取外し用部品１３を構成するロープ１４としては、結び目１７が作れるとともに、ワイヤハーネス本体１２の周りを巻回してアイ１６が形成でき、廃棄車両解体時にクレーン等の引上装置のフックを引っ掛けて引き上げた時にその引っ張り力に耐えうる強度（耐荷重性）を有するものであれば適宜の材料を使用することができるが、コスト的にはナイロン、ポリエステル等の樹脂材料の使用が好ましい。また、その形態も断面が円形、略楕円形のロープの他、扁平な平ロープも使用することができる。
樹脂モールド部１５の形成に使用される樹脂としては、ＡＢＳ樹脂、ポリプロピレン（ＰＰ）等を用いることができる。
【００１２】
上記のような構成とすると、ロープ１４の結び目１７が樹脂モールド部１５により外力から保護されるため、ワイヤハーネス取外し作業時に、結び目がほどけて不足の事態を引き起こすことが防止できる。特に、ロープ１４として撚りロープを使用した場合には、樹脂がロープ１４内に入り込んで樹脂モールド部１５を形成するため、その効果はより一層高まる。また、ロープ１４の結び目１７が樹脂モールド部１５により隠れるため、見栄えがよい。
【００１３】
次に、本発明の別の実施例に係るワイヤハーネス取外し用部品を図４により説明する。図４において、図２及び図３と同様な要素には同じ符号を付してある。図４は、樹脂モールド部１５の断面図である。
本実施例に係るワイヤハーネス取外し用部品２０の外観は図２に示すものと同様である。本ワイヤハーネス取外し用部品２０は、長尺のロープ１４の各端部１４’に結び目１７’をそれぞれ形成し、これらの端部１４’の結び目１７’を樹脂モールド１５により固定してループ状として構成される。すなわち、図３に示すものとは異なり、端部同士を結ぶのではなく、各端部１４’自身でそれぞれ結び目１７’を作る。本ワイヤハーネス取外し用部品２０も、前記実施例と同様、ワイヤハーネス本体１２の周りを一巻きし、その一部位をループ内に挿通させ、廃棄車両解体時に引上装置のフックを引っ掛けるためのアイ１６が形成されるようにワイヤハーネス本体１２に取り付けられて使用される。
ロープ１４の材料、形態、必要特性や、樹脂モールド１５に使用される材料等は前記実施例と同様であるので重複を避けるため説明は省略する。
【００１４】
上記のような構成としても、ロープ１４の結び目１７’が樹脂モールド部１５により外力から保護されるため、ワイヤハーネス取外し作業時に、結び目がほどけて不足の事態を引き起こすことが防止できる。特に、ロープ１４として撚りロープを使用した場合には、樹脂がロープ１４内に入り込んで樹脂モールド部１５を形成するため、その効果はより一層高まる。また、ロープ１４の結び目１７’が樹脂モールド部１５により隠れるため、見栄えがよい。
【００１５】
次に、本発明のさらに別の実施例に係るワイヤハーネス取外し用部品を図５により説明する。図５において、図２及び図３と同様な要素には同じ符号を付してある。図５（ａ）は、ロープ１４の軸方向に沿ったところで切断した樹脂モールド部１５の断面図であり、図５（ｂ）は図５（ａ）のＸ−Ｘ線のところで切断した樹脂モールド部１５の断面図である。
本実施例に係るワイヤハーネス取外し用部品３０の外観は図２に示すものと同様である。本ワイヤハーネス取外し用部品３０は、長尺のロープ１４の各端部１４”に留め具１８をそれぞれ取り付け、留め具１８を取り付けたこれらの端部１４’を樹脂モールド部１５により固定してループ状として構成される。留め具１８は、図示の例の場合は、ロープ１４の端部１４”を通してかしめにより端部１４”に取り付けるものであるが、ロープ１４の端部１４”に固定され、樹脂モールド部１５を形成したときに外力に対する抵抗を示し、抜けが防止できるものであれば適宜の構造のものを使用することができる。本ワイヤハーネス取外し用部品３０も、前記実施例と同様、ワイヤハーネス本体１２の周りを一巻きし、その一部位をループ内に挿通させ、廃棄車両解体時に引上装置のフックを引っ掛けるためのアイ１６が形成されるようにワイヤハーネス本体１２に取り付けられて使用される。
ロープ１４の材料、形態、必要特性や、樹脂モールド１５に使用される材料等は前記実施例と同様であるので重複を避けるため説明は省略する。
【００１６】
上記のような構成としても、ロープ１４の端部１４”に取り付けた留め具１８を樹脂モールド部１５が覆うため、端部１４”が外力により外れることが防止され、ワイヤハーネス取外し作業時に、不足の事態を引き起こすことが防止できる。また、ロープ１４の端部１４”が樹脂モールド部１５により隠れるため、見栄えがよい。
【００１７】
また、本発明によれば、ワイヤハーネス取外し用部品１３、２０、３０の樹脂モールド部１５に着色を施してもよい。着色は、例えば結び目を作った後に、人手で塗料を塗る、結び目部分を塗料の漕に付ける等の各種方法で行うことができる。このようにすると、ワイヤハーネス取外し作業を行う際に、一目でその取外し箇所を視認することができる。
【００１８】
さらに、本発明によれば、上記のような構成のワイヤハーネス取外し用部品１３、２０、３０を組み込んだワイヤハーネスが提供される。
【００１９】
【発明の効果】
以上詳細に説明したように、本発明によれば、ワイヤハーネス本体への取付が容易で作業性が向上し、外力によりループ状のロープがほどけたり、破断したりすることがなく、しかも外観的にも違和感のないワイヤハーネス取外し用部品が提供できる。また、樹脂モールド部に着色を施すと、ワイヤハーネス取外し作業を行う際に、一目でその取外し箇所を視認することができるようになる。
【図面の簡単な説明】
【図１】長尺のロープの端部同士を結んで構成したワイヤハーネス取外し用部品を示す図である。
【図２】本発明の一実施例に係るワイヤハーネス取外し用部品の全体外観図である。
【図３】図２のワイヤハーネス取外し用部品の樹脂モールド部の断面図である。
【図４】本発明の別の実施例に係るワイヤハーネス取外し用部品の樹脂モールド部の断面図である。
【図５】本発明のさらに別の実施例に係るワイヤハーネス取外し用部品の樹脂モールド部の断面図である。
【符号の説明】
１１　ワイヤハーネス
１２　ワイヤハーネス本体
１３　ワイヤハーネス取外し用部品
１４　ロープ
１４’、１４”　端部
１５　樹脂モールド
１６　アイ（フック引っ掛け部）
１７　結び目
１８　留め具
【図１】
2004018228.tif 000003
【図２】
2004018228.tif 000004
【図３】
2004018228.tif 000005
【図４】
2004018228.tif 000006
【図５】
2004018228.tif 000007